Podtech/llm-jp-corpus-v4-ja_patent huggingface dataset:
(57)【要約】【課題】  従来のパンツ型紙おむつは、紙おむつの上辺を親指と四指で摘み、引き上げることにより装着するため、握力の低下した使用者にとっては円滑な装着が困難であった。また、介護者にとっても、要介護者のパンツ型紙おむつの装着は重い負担となっている。【解決手段】  以上の課題を解決するため、パンツ型紙おむつの両横に取っ手を付けることにより、容易に装着できることを特徴とする装置である。パンツ型紙おむつの両横に取り付ける取っ手は、帯状または袋状のもので、親指を除く四指が通せるまたは引っ掛けられる形状を特徴とする。パンツ型紙おむつの両横に取り付ける取っ手の素材は、本体と同じポリエステル不織布とし、結合方法は糸等による縫い合わせ又は熱により接着させるヒートシール方法を特徴とする装置ある。【選択図】図２
2015073889.tif 000002
【特許請求の範囲】
【請求項１】
パンツ型紙おむつの両横に取っ手を付けることにより、円滑、短時間及び省力で装着できることを特徴とする装置である。
【請求項２】
パンツ型紙おむつの両横に取り付ける取っ手の素材は、本体と同じポリエステル不織布等とし、形状は帯状または袋状のもので、親指を除く四指が通せるまたは引っ掛けられる特徴を持ち、本体との接合方法は糸等による縫い合わせ又は熱により接着させるヒートシール方法を特徴とする請求項１記載の装置である。
【発明の詳細な説明】
【技術分野】
【０００１】  本発明はパンツ型紙おむつを円滑、短時間及び省力で装着するための装置に関する発明である。
【背景技術】
【０００２】  従来のパンツ型紙おむつは、紙おむつの上辺を親指と四指で摘み引き上げることにより装着するものである。
【先行技術文献】
なし。
【特許文献】
【特許文献】  なし。
【非特許文献】
【非特許文献】  なし。
【発明の概要】
【発明が解決しようとする課題】
【０００３】  従来のパンツ型紙おむつは、紙おむつの上辺を親指と四指で摘み、引き上げることにより装着するため、握力の低下した使用者にとっては円滑な装着が困難であった。【０００４】  また、要介護者を介護する者（以後、介護者という。）にとっても、要介護者等のパンツ型紙おむつの装着は重い負担となっている。
【課題を解決するための手段】
【０００５】  以上の課題を解決するため、パンツ型紙おむつの両横に取っ手を付けることにより、容易に装着できることを特徴とする装置である。パンツ型紙おむつの両横に取り付ける取っ手は、帯状または袋状のもので、親指を除く四指が通せる又は引っ掛けられる形状を特徴とする。
パンツ型紙おむつの両横に取り付ける取っ手の素材は、本体を同じポリエステル不織布とし、結合方法は糸による縫い合わせ又は熱により接着させるヒートシール方法を特徴とする装置である。
【発明の効果】
【０００６】  発明が解決しようとする課題で記述したとおり、従来のパンツ型紙おむつは、紙おむつの上辺を親指と四指で摘み、引き上げることにより装着するため、握力の低下した使用者や幼児等にとっては円滑な装着が困難であり、また、介護者にとっても、要介護者のパンツ型紙おむつの装着は重い負担となっている。本発明は、パンツ型紙おむつの両横の取っ手を握ることにより、握力に加えて上腕二頭筋の筋力を使用し、従来に比べ円滑、短時間及び省力でパンツ型紙おむつを装着できる効果がある装置である。【０００７】  また、本発明により、使用者は短時間でパンツ型紙おむつを装着でき、使用者の自立意欲及び行動力を向上させる効果がある。【０００８】  さらに、介護者にとっても、要介護者等のパンツ型紙おむつの装着を円滑、短時間及び省力化し、負担を軽減することができる効果がある。
【図面の簡単な説明】
【図１】  本発明の取っ手の結合を示した正面図である。
【図２】  本発明の取っ手の結合を示した側面図である。
【図３】  本発明の取っ手の結合を示した平面図である。
【発明を実施するための形態】
【０００９】  パンツ型紙おむつの両横に横５ｃｍ〜１０ｃｍ×縦３ｃｍ（基準）の本体と同じ帯状の素材を、糸等による縫い合わせ又は熱により接着させるヒートシール方法により両端等を接合することにより取っ手を取り付ける。
【００１０】  パンツ型紙おむつの両横に横５ｃｍ〜１０ｃｍ×縦３ｃｍ（基準）の本体と同じ素材の形態で帯状の素材を、両端並びに両端及び上辺を接合し袋状にすることにより取っ手を取り付ける。
【実施例】
【００１１】  市販されているパンツ型紙おむつの製造過程に、取っ手を取り付ける工程を付加して製品とする。取っ手は薄いため、製品の大きさ及び容量に影響を与えない。
【産業上の利用可能性】
【符号の説明】
【００１２】  図面の主要な部分を表す符号
１  パンツ型紙おむつの本体
２  取っ手
【受託番号】
【図１】
2015073889.tif 000003
【図２】
2015073889.tif 000004
【図３】
2015073889.tif 000005
(57)【要約】【課題】本発明は胸元ライン５を一定の位置に保ち、且つ、胸元ライン５を押えて胸元の谷間を隠すにある。【解決手段】本発明は、首掛けリング２と、胸元固定具３から成り、外見上は首飾りを首に掛けていると装いながら胸元挟み部３ａで胸元ライン５を連結し胸元ライン５を一定の位置で規制する胸元固定機能付き首飾りを構成している。【選択図】図１
2015073885.tif 000002
【特許請求の範囲】
【請求項１】
リング状の大きさを調整可能とする首掛けリング（２）と、該首掛けリング（２）の正面胸元に吊るす胸元固定具（３）から成るもので、
前記、胸元固定具（３）は裏面に上衣の胸元ライン（５）を固定する胸元挟み部（３ａ）と紐通し孔部（３ｂ）を装備したもので、
外見上は首飾りを首に掛けていると装いながら胸元挟み部（３ａ）で胸元ライン（５）に連結して胸元ライン（５）を規制するものとした胸元固定機能付き首飾り。
【発明の詳細な説明】
【技術分野】
【０００１】本発明は首飾りに関する。
（言葉の定義）
首飾りとは、女性が首に巻き装飾的な物を指し、ネックレスとは、女性や男性共に首に巻くリング状のものを指す。
胸元ラインとは、上衣の胸元部の縁を指す。（Ｙシャツタイプの服は除く）
胸元の谷間とは、乳房の中間部に生じる凹み部を指す。
【背景技術】
【０００２】従来、ネックレスの装着中に生じるネックレスのずれを防止すれものは知られている。（例えば特許文献１）
しかしながら、ネックレスで胸元を吊り胸元ラインを規制することはできない。【０００３】従来、胸元の谷間を隠すためにブラジャーの中央に取り外し可能な三角形状のアクセサリーを装着し胸元を被うものが知られている。（例えば特許文献２）
しかしながら、上衣の下の三角形状のアクセサリーが下着と見られるため暑苦しい感じを受けてしまう。特に夏にはその印象を受けやすくファション性を損なう欠点があった。
【先行技術文献】
【特許文献】
【０００４】
【特許文献１】特許公開２００５−１１８３２４
【特許文献２】特許出願２０１２−５３１０１９
【発明の概要】
【発明が解決しようとする課題】
【０００５】本発明は、女性の胸元ラインを一定の高さに保ち、且つ、上衣と胸元の隙間から胸元の谷間を露見するのを防止し、且つ、ファション性を損なうことのない首飾りを提供することを目的としている。
【課題を解決するための手段】
【０００６】上記目的を達成するために本発明は、リング状の大きさを調整可能とする首掛けリング２と、該首掛けリング２の正面胸元に吊るす胸元固定具３から成るもので、前記、胸元固定具３は裏面に上衣の胸元ライン５を固定する胸元挟み部３ａと紐通し孔部３ｂを装備したもので、外見上は首飾りを首に掛けていると装いながら胸元挟み部３ａで胸元ライン５に連結し胸元ライン５を規制するものとした胸元固定機能付き首飾りを構成している。
【発明の効果】
【０００７】以上の説明から明らかなように、本発明にあっては次に列挙する効果が得られる。【０００８】（１）請求項１の構成により、首掛けリング２の正面胸元に胸元固定具３を吊るし裏面の胸元挟み部３ａで胸元ライン５を連結し首掛けリング２のリング状の大きさを調整することで胸元ライン５は一定の高さ位置で保持されるので下着が露出する恐れがなく胸元を気にすることなく安心して着用することができる。【０００９】（２）請求項１の構成により、胸元挟み部３ａで胸元ライン５を連結すると首掛けリング２は下斜めに吊るされるので胸元固定具３は胸元ライン５を押える作用をするため胸元の谷間を隠すものとなり胸元を気にすることなく安心して着用することができる。【００１０】（３）請求項１の構成により、首掛けリング２と胸元固定具３は全体として首飾りとして見えるので胸元ライン５を固定していることを目立つことなくファション性を損なうことなく着用できる。
【図面の簡単な説明】
【００１１】
【図１】本発明を実施するための第１の形態の使用時の胸元固定機能付き首飾りの姿図と作用応力分解図。
【図２】本発明を実施するための第１の形態の首後方で結んでリング状にした胸元固定機能付き首飾り図。
【図３】本発明を実施するための第１の形態の長さ調整具で結んでリング状にした胸元固定機能付き首飾り図。
【発明を実施するための形態】
【００１２】以下、図面に示す発明を実施するための形態を詳細に説明する。
【００１３】（１）は胸元固定機能付き首飾りで、首掛けリング２と胸元固定具３から構成したもので、着用時には外見上首飾りを掛けていると装いつつ胸元挟み部３ａで胸元ライン５を連結し吊るすもので、全体を装飾やファション性を取り入れるものが好ましい。着用手順として、胸元挟み部３ａを胸元ライン５の胸元の谷間部に挟み、首に掛けた状態で適切な位置になるよう首掛けリング２の大きさを決め固定する。
【００１４】（２）は首掛けリングで、紐等をリング状にして用いるものでリングの大きさを調整することで胸元ライン５の高さ位置を一定に保持できる。ファッション性を高めた紐、皮紐、帯、鎖等があり、リングの大きさを調整する手段として両端を結ぶ方法や長さ調整具４を用いる等がある。
【００１５】（３）は胸元固定具で、表面は装飾を施すのが好ましく裏面の下側に挟み部３ａを、上側に紐通し孔部３ｂを装備し、首掛けリング２と一体化したファション性を高めたものが好ましい。挟み部３ａは胸元ライン５を挟んで固定するもので、コイルバネ４ａを用いたりネジや磁石で押えたりする方法があり一般に利用されているもので可。紐通し孔部３ｂは首掛けリング２を通すためのものである。
【００１６】（４）は長さ調整具で首掛けリング２の両端を通してコイルバネ４ａの反力によって固定するもので一般に市販されているもので可。
【産業上の利用可能性】
【００１７】本発明は、首飾りやネックレスやアクセサリーを製造する産業で利用される。
【符号の説明】
【００１８】１：胸元固定機能付き首飾り、  ２：首掛けリング、  ３：胸元固定具、  ３ａ：挟み部、  ３ｂ：紐通し孔部、  ４：長さ調整具、  ４ａ：コイルバネ、  ５：胸元ライン。
【図１】
2015073885.tif 000003
【図２】
2015073885.tif 000004
【図３】
2015073885.tif 000005
(57)【要約】【課題】伸縮棚の横桟の耐荷重力を向上させる方法を提供することが課題である。【解決手段】棚板を保持する横桟に、外管に挿通された内管に摺動する第三の接続管を設置する。この随意に長さを決定された第三の接続管を内管に設置することにより、外管と内管との接触域が拡大して、横桟の耐荷重力を大きくできることから、棚自体の耐荷重も大きくすることが可能となる。【選択図】図２
2015073881.tif 000002
【特許請求の範囲】
【請求項１】
左右の支脚間に前後に架橋した棚受用横桟上に適宜脱着自在な取替棚を掛止してなる置棚において、上記棚受用横桟は外管に内管を伸縮可能に挿通してなると共に、外管の棚内側の先端を絞り径を細くし、外管内で摺動する内管には外管の内径より細く、内管の外径より太い管状のものを挿通し、内側の内管には内外管内に挿通した管状のものの脱落防止の部品を備えた構造の横桟を備えた置棚。
【発明の詳細な説明】
【技術分野】
【０００１】  本発明は、伸縮可能な構造を持つ置棚等に取り付けられる伸縮パイプの構造に関する。
【背景技術】
【０００２】  従来の伸縮棚のパイプ構造は、外管内を内管が摺動し、外管端部の径を摺動する内管の径より小さくして内管の脱落を防ぐ構造となっている。【０００３】  外管内を摺動する内管の脱落を防止するために、外管端部に脱落防止装置を設けるが、両管間の結合部が短く、そのため耐荷重力が極めて小さくなってしまっている。
【発明の概要】
【発明が解決しようとする課題】
【０００４】  従来の構造では外管と内管の結合部分が短く、そのため小さくなった結合部の耐荷重力を大きくする方法を提供することである。
【課題を解決するための手段】
【０００５】  最大の課題である二本の管の結合部分の耐荷重力を大きくするために、棚板を保持する横桟の外管を摺動する脱落防止装置を備えた内管との接合部を増大するために、第三の接続管を設置すること解決手段とする。
【発明の効果】
【０００６】横桟の摺動自在な外管と内管の脱落防止方法は、外管を絞り内管の先端近辺を広げる、又は打痕を作り内管の外径を外管の絞った径より大きくすることで行っていた。また、外管の絞り部の長さは特殊な加工機を使用しない限り３０ｍｍから５０ｍｍ程度と限界があった。  この構造は外管の絞った部分しか内管の外管との接触面が作れず耐荷重力が小さいという欠点がある。しかし、当発明は外管内で摺動する内管には外管の内径より細く、内管の外径より太い管状の第三の接続管を長さ制限はせずに設置して、実質的に内外管の接触面距離を任意に長くできるので、耐荷重力を大きくする調整ができるという効果がある。
【図面の簡単な説明】
【０００７】
【図１】は脱落防止の部品が装着された内管に設置された第三の接続管の状態を示す図である。
【図２】は外管に脱落防止の部品が装着された内管が挿通された状況を示す図である。
【図３】は伸縮棚に脚部、外管、内管を設置し、両端に固定棚を装着した時の図である。
【符号の説明】
【０００８】▲１▼  外管
▲２▼  内管
▲３▼  脱落防止の部品
▲４▼  第三の接続管
▲５▼  伸縮棚の脚部
▲６▼  伸縮棚横桟の外管
▲７▼  伸縮棚横桟の内管
▲８▼  固定棚
【発明を実施するための形態】
【実施例】
【０００９】  図１のように挿通される▲２▼内管の端部に▲３▼脱落防止の部品を装着して、摺動可能な▲４▼第三の接続管を設置する。【００１０】  図２のような形態で▲４▼第三の接続管が取り付けられた▲２▼内管を▲１▼外管に挿通させる。▲１▼外管の端部には絞りを付け▲２▼内管の脱落を防ぐ。【００１１】  図３のように両端の▲８▼固定棚に▲１▼外管とそれに挿通された▲２▼内管を交互に装着する。【００１２】  図３のように▲８▼固定棚に交互に横桟を設置することにより、▲８▼固定棚は同一の形状のものを使用できる。  つまり、固定棚用の金型は一型で済むことになり経費の節減に寄与できる。
【図１】
2015073881.tif 000003
【図２】
2015073881.tif 000004
【図３】
2015073881.tif 000005
(57)【要約】【課題】従来の歯ブラシはブラシの毛の長手方向と直角方向にブラシの毛を往復運動して歯を磨いていたので、歯と歯茎の間、歯と歯の狭い部分、及び臼歯の噛み合わせ面の溝の奥などは、ブラシの毛の先端の動きが不充分であったり、毛が届かなかったりして、充分に歯垢を落とせなかったので、歯周病や虫歯になることがあった。【解決手段】図１の本体を変形Ｕ字形とし、振動装置に結合する穴を設け、ブラシの毛の中心軸を結合用穴の中心軸に対して角度約２０度傾けて取り付けたＵ形つつき磨き歯ブラシであり、連結用穴に外部振動装置を結合し結合用穴の軸方向に振動させ、ブラシの毛を歯に当てブラシの毛の先端で歯垢をつつき磨きし、従来の歯ブラシでは落とせなかった歯垢をつつき落とし歯周病や虫歯を予防します。【選択図】図１
2015073884.tif 000002
【特許請求の範囲】
【請求項１】
本体を変形Ｕ字形とし、振動装置に結合する結合用穴を設け、ブラシの毛を結合用穴の中心軸に対して角度約２０度傾けて取り付けたものであり、外部振動装置を結合用穴に結合して、結合用穴の軸方向に振動を加え、ブラシの毛を歯に当てブラシの毛の先端で歯垢をつつき落とす、つつき磨き歯ブラシである。
【発明の詳細な説明】
【技術分野】
【０００１】この発明は、歯ブラシに関するものである。
【背景技術】
【０００２】従来の歯ブラシはブラシの毛の長手方向と直角方向に、ブラシの毛を往復運動して歯を擦って磨いていた。
【発明の概要】
【発明が解決しようとする課題】
【０００３】従来は歯と歯茎の間、歯と歯の間の狭い部分、及び臼歯の噛み合わせ面の溝の奥などはブラシの毛の先端の動きが不充分であったり、届かなかったりして充分に歯垢が落とせなかったので、歯周病や虫歯になることがあった。
【課題を解決するための手段】
【０００４】歯並びの主に内側を磨くために、更に奥歯迄届き易くするため本体を変形Ｕ字形とした。本体に振動装置に結合する結合用穴を設け、又ブラシの毛の先端を歯のどの部分にも接触し易くするため、結合用穴の中心軸に対してブラシの毛の長手方向の中心軸を角度約２０度傾けて取り付けた。結合用穴に外部振動装置を結合し結合用穴の軸方向に振動を加えながらブラシの毛を歯に当てブラシの毛の先端でつつき磨きする。
【発明の効果】
【０００５】歯の表面の歯垢は振動する歯ブラシの毛を歯の表面に当てるとブラシの毛の先端が振動しながら歯の表面の歯垢側面をつつき歯垢を効率良く落とします。
歯と歯茎の間及び歯と歯の間の歯垢はブラシの毛の先端を歯と歯茎の間又は歯と歯の間に当てるとブラシの毛の先端が歯と歯茎の間又は歯と歯の間に杭のように深く押し込まれ深い所の歯垢を落とします。
臼歯の噛み合わせの面の溝の奥の歯垢には、ブラシの毛を臼歯の噛み合わせ面に当てると、ブラシの毛の先端が溝の中をつつき歯垢を掘り出して落とします。
歯と歯茎の間、歯と歯の間の狭い部分、及び臼歯の噛み合わせ面の溝の奥などの歯垢は、つつき磨きにより充分落とすことが出来るので歯周病や虫歯を予防します。
【図面の簡単な説明】
【０００６】
【図１】本体（１）を変形Ｕ字形とし、振動装置との結合用穴（２）を設け、又ブラシの毛（３）を結合用穴の中心軸に対してブラシの毛の長手方向の中心軸との間の角度を約２０度傾けて取り付けたつつき磨き歯ブラシである。ブラシの毛は毛１本の太さが約０．１ミリメートルで、毛の束の直径は約４ミリメートルであり、毛の長さは最大約９ミリメートルである。結合する振動装置の振動振幅は約１ミリメートルで、振動数は約毎分３００００回である。
【図１】
2015073884.tif 000003
(57)【要約】      （修正有）【課題】浴室脱衣場の足拭きマット上にて、水虫が感染するのを防ぐための足拭きマットを提供する。【解決手段】足拭きマット１の中央部、縦（短い方）に合ったサイズで、やや硬めの布製、若しくはビニール製、若しくはゴム製の仕切り線４を作成し、その仕切り線４をマット１の中央部に縫い付けて綴じる。マット左右端部分に目印５、６を縫い付け、若しくは接着剤などで取付け、足拭きマット１を足踏み表面左部２、足踏み表面右部３に分けた。【選択図】図１
2015073887.tif 000002
【特許請求の範囲】
【請求項１】
足拭きマット（１）の中央部に仕切り線（４）を設け、左右に足踏み表面左部（２）、足踏み表面右部（３）に分けたことを特徴とした、脱衣場足拭きマット。
【発明の詳細な説明】
【技術分野】
【０００１】  本発明は、風呂場脱衣場にて水虫の感染を防ぐ為の、脱衣場足拭きマットに関するものである。
【背景技術】
【０００２】  従来、家庭用浴室に入浴のため出入りする際、脱衣場の足拭きマット上にて水虫が感染することが多々あった。
尚、それを防ぐ為、脱衣場に自分専用のマット等、複数のマットを置いて有る家庭もあった。
【先行技術文献】
【特許文献】
【０００３】
【特許文献１】  特開平９−６５９９６号公報
【発明の概要】
【発明が解決しようとする課題】
【０００４】  そのために次のような問題点があった。
水虫が感染しないように、入浴の度自分専用のマットに取り替えるのが面倒なため時々は敷いてあるマットを踏んでしまい、結局感染することも有った。
特開平９−６５９９６号の場合は、感染を防ぐことはできるが、時々しなければならない洗濯時に時間が掛かりすぎる。
本発明は以上の問題点を解決するためになされたものである。
【課題を解決するための手段】
【０００５】  一枚の足拭きマットの中央部に仕切り線を入れ、片方はすでに水虫に感染している家族が専用に使用し、反対側一方は感染していない家族が専用に使用し、左右夫々に目印を付けておき、お互いに決められた方意外には足を乗せないように注意ができることを特徴とする、水虫の感染を防ぐ脱衣場足拭きマットである。
【発明の効果】
【０００６】  一枚の足拭きマットを中央で左右二枚に分けてあり、夫々に目印を付けて有る方を使用するため、水虫はこのマットを介しては感染しなく安心である。
【発明を実施するための形態】
【０００７】  以下、本発明の実施の形態について説明する。
（イ）家庭用風呂場内の脱衣場から浴室出入り口に通じるドアーサイズに合った布製拭き      マット（１）を作成。
（ロ）マット左右両端部分に、目印の為の模様などを縫い付ける。
（ハ）足拭きマットの中央部、縦（短い方）に合ったサイズで、やや硬めの布製、若しく      はビニール製、若しくはゴム製等の仕切りを作成。
（ニ）仕切りをマット中央部に縫い付けて綴じる。
（ホ）マット左右端部分に目印を縫い付け、若しくは、接着剤などで取り付ける。
本発明、水虫の感染を防ぐ脱衣場足拭きマットは以上の構成により成っている。
（ヘ）本発明の足拭きマットを使用するには、家族間で最初から左右どちら側を使用する      かを決めておき、反対側は絶対に使用しないよう気を付ける。
以上が、本発明、水虫の感染を防ぐ脱衣場足拭きマットの使用方法である。
【図面の簡単な説明】
【０００８】
【図１】本発明の全体の斜視図。
【図２】本発明の側面図。
【符号の説明】
【０００９】１  足拭きマット
２  足踏み表面左部
３  足踏み表面右部
４  仕切り線
５  左側目印
６  右側目印
【図１】
2015073887.tif 000003
【図２】
2015073887.tif 000004
(57)【要約】【課題】  この発明は医療などの患者の治療時や、口を開ける事が困難な人に有効な開口補助器である。又、安全性を兼ね備えた取っ手付きの開口補助器に関するものである【解決手段】  咬むパーツ（１）の先端部分を歯と歯の隙間に真横に挿入し、回すように立てると同時に咬ませる。咬んだまま開口するので取っ手を持つて維持します【選択図】図４
2015073892.tif 000002
【特許請求の範囲】
【請求項１】
咬むパーツはシリコンである。形は貝が口を開けた形態である
本体は金属の骨組みの上にシリコンを被せた物である
【請求項２】
（イ）  咬み締めることで開口する取っ手のついた開口補助器
（ロ）  口の中で噛ませるパーツと取っ手とそれをつなぐ管（クダ）
（ハ）  素材はシリコンと金属か硬度の物なら何でもよい
【発明の詳細な説明】
【発明の仔細な説明】
【技術分野】
【０００１】この発明は口を大きく開ける事が出来ない人の開口補助器である
【背景技術】
【０００２】従来の開口器は金属性の物は挿入時に口を大きく開けないと入りづらく口を開けない人には装着が出来なかった
他の物も唇のそばで維持するために大きな力がいる
それと同時に維持できないと指などを噛まれたりする
【発明が解決しようとする課題】
【０００３】本発明は、その欠点を除いて、口の中で違和感が少なく、挿入しやすく術者にもけがの無い、おおきな力もいらず維持できる
又、口を大きく開ける事が出来ない人や、知的障害や認知などで口を開ける事が困難な人に有効な取っ手のついた咬み締める開口補助器である
【課題を解決するための手段】
【０００４】今、その器具を説明すると、
（イ）  咬むパーツ（１）につなぎのクダ（２）を差し込む
（ロ）  クダ（２）はヘアピンカーブ（Ｕ字）型で取っ手（３）を設ける
以上の構成からなる咬み締める取っ手付き開口補助器である
【発明を実施するための形態】
【０００５】本発明は以上のような構成であるから、これを使用する時は
取っ手（３）を持って咬むパーツ（１）を口の中の奥歯で噛むと開口したまま維持する
咬むパーツ（１）はキズつきやすいので着脱可能にした。
咬むパーツとクダ付きの取っ手は滅菌、可能にする
【発明の効果】
【０００６】したがって口の中の治療や口腔清掃などで開口が出来ない人に
違和感が少なく、取っ手が付いてる事で開口の維持や力の軽減化と安全性を確保できた
【図面の簡単な説明】
【図１】本発明の正面図
【図２】本発明の側面図
【図３】本発明の真上図
【図４】本発明の使用斜視図
【図５】噛むパーツの仔細図
【図６】咬むパーツを外した所、表面はシリコンだが骨組みに金属か硬度の高い物を使う
【符号の説明】１  咬むパーツ
２  クダ
３  取っ手
４  金属或いは硬度の物質
５  シリコン
【図１】
2015073892.tif 000003
【図２】
2015073892.tif 000004
【図３】
2015073892.tif 000005
【図４】
2015073892.tif 000006
【図５】
2015073892.tif 000007
【図６】
2015073892.tif 000008
(57)【要約】      （修正有）【課題】従来、棚下直下の活用は、キッチン棚においては発明され実用性の高いものがあったが、書庫や収納庫等のキッチン以外の棚下直下の空間の有効活用できないので、棚下を有効に活用できるハンガーを提供する。【解決手段】コの字に形成されたバー１、および、該バー２に固定したバー２の両方の底面下側に、磁力の強いネオジウム磁石３を複数固定して、棚下直下のデッドスペースを収納スペースや展示スペースにすることを可能にした棚下用マグネットハンガー。【選択図】図２
2015073880.tif 000002
【特許請求の範囲】
【請求項１】
コの字に形成されたバー、および、該バーに固定したバーの両方の底面下側に、磁力の強いネオジウム磁石を複数固定して、棚板直下のデッドスペースを収納スペースや展示スペースにすることを可能にした棚下用マグネットハンガー。
【発明の詳細な説明】
【技術分野】
【０００１】  本発明は、棚下のデッドスペースを収納スペース、または、展示スペースに変える棚下用マグネットハンガーに関するものである。
【背景技術】
【０００２】  従来、戸棚直下のスペースはデッドスペースとなっていた。
たとえば、棚に小さい荷物を置いた場合、当該荷物の上部から直上の棚板下までの空間がデッドスペースとなり、収納スペースとして無駄な空間があった。
特に、キッチンの棚下のデッドスペースを解決するために、棚下にキッチンタオルを設置する物や、調味料を設置する物等が発明されたが、棚下に棚を設けるという発明は、実用な点が優先され、ある程度の空間が必要となっていた。
その結果、設置する物が限定されていた。
本発明は、キッチンの棚下にこだわらず、また、棚下の空間の大きさにとらわれず、あらゆる棚下の空間を収納スペースや展示スペース等の有効な空間に変えてしまう棚下用マグネットハンガーである。
【先行技術文献】
【特許文献】
【０００３】
【特許文献１】  特開平１０−００５０６１号公報
【特許文献２】  特開２００６−０１５０１号公報
【特許文献３】  実用新案登録第３０３４２３３号公報
【発明の概要】
【発明が解決しようとする課題】
【０００４】  キッチンの棚、書庫の棚等、あらゆる棚の棚板直下のデッドスペースを、収納、または、展示する物の大きさを問わずに、有効な収納スペース、または、展示スペースに活用できるスペースに変えてしまう。
本発明は、以上の問題を解決するためになされたものである。
【課題を解決するための手段】
【０００５】  コの字に形成されたバー、および、該バーに固定したバーの両方の底面下側に、磁力の強いネオジウム磁石を複数固定して、棚下直下のデッドスペースを収納スペースや展示スペースにすることを可能にした棚下用マグネットハンガー。
【発明の効果】
【０００６】  従来、棚下直下の活用は、キッチン周辺においては発明され実用性の高いものがあったが、書庫や収納庫等キッチン以外の棚下直下の空間の有効活用はなく、キッチンの周辺においても棚下に別の棚を設けるものが多く、棚下にある程度大きい空間が必要でした。
本発明は、棚下直下に磁石等を取り付けることで、たとえば、磁力に吸い付く蓋を使用するケースを固定、または、ぶら下げたり、そのもの自体が磁力に吸い付く性質のあるものを固定、または、ぶら下げたりすることができ、そのものの大きさを問わないため、棚下のデッドスペースが小さくても有効活用することを可能にした。
また、棚下直下のデッドスペースに商品をぶら下げて陳列することを可能にし、デザインを伴ったディスプレイとして活用することも可能にした。
【図面の簡単な説明】
【０００７】
【図１】  本発明の斜視図である。
【図２】  本発明の斜視図である。
【図３】  本発明の、棚板を挟んだ状態の斜視図である。
【発明を実施するための形態】
【０００８】  以下、本発明の実施の形態を説明する。
コの字型のバー（１）を二つ用意し、その二つのバー（１）のそれぞれ底辺にバー（２）を固定する。
また、コの字型のバー（１）の底辺、および、当該バー（１）に設置したバー（２）の底辺には磁力の強いネオジウム磁石（３）を数カ所に設置する。
これを、棚にちょうどコの字のへこみの部分を棚板（４）に差し込むように取り付ける。
こうすることで棚下直下の空間は、磁力で吸い付くものを固定、または、ぶら下げることができる状態になる。
棚下直下の空間の大きさに合わせたものを固定、または、ぶら下げることを可能にし、棚下直下の空間が、収納スペースや、展示スペースとして活用するスペースとなることを可能にした棚下用マグネットハンガー。
本発明は以上のような構造である。
【０００９】  本発明を使用するときは、コの字に形成されたバー（１）を、棚板（４）を挟むように差し込み固定して使用する。
磁力の強いネオジウム磁石（３）は棚下直下に位置することになり、そこにさまざまな磁力に吸い付くものを固定したりぶら下げたりして使用する。
【符号の説明】
【００１０】  １  コの字に形成されたバー
２  バー
３  磁力の強いネオジウム磁石
４  棚板
【図１】
2015073880.tif 000003
【図２】
2015073880.tif 000004
【図３】
2015073880.tif 000005
(57)【要約】【課題】台所などで従来は輪ゴム、カラータイそれぞれ別々に保管される事が多く、使い勝手が悪かった。  本発明は輪ゴム、カラータイが使い勝手よく保管されるためのすっきりホルダーを提供する。【解決手段】  磁石の厚さより、薄い本体の一部分に貫通穴を設け、そこに磁石を貫通させ、磁石の裏面、表面を本体より突起させた位置で固定し、また本体よりのびたフック部分を設けたことを特徴とするすっきりホルダー。【選択図】図１
2015073879.tif 000002
【特許請求の範囲】
【請求項１】
磁石の厚さより薄い本体の一部分に貫通穴を設け、そこに磁石を貫通させ、磁石の裏面、磁石の表面を本体より突起させた位置で固定し、本体よりのびたフック部を設けたことを特徴とするすっきりホルダー。
【発明の詳細な説明】
【技術分野】
【０００１】  本発明は、輪ゴム、カラータイを保持するすっきりホルダーに関するものである。
【背景技術】
【０００２】  従来、輪ゴムやカラータイの保管には、主に輪ゴムは引き出しのつまみに引っ掛けたり、カラータイは引き出しの隅に保管していた。尚、輪ゴムのみのフック具は知られている。
【発明の概要】
【発明が解決しようとする課題】
【０００４】  従来は輪ゴム、カラータイそれぞれ別々に保管され、使い勝手が良くなかった。
本発明は以上の問題点を解決するものである。
【課題を解決するための手段】
【０００５】  磁石の厚さより、薄い本体の一部分に貫通穴を設けそこに磁石を貫通させ、磁石の裏面、表面を本体より突起させた位置で固定し、また本体よりのびたフック部分を設ける。
以上の構成よりなるすっきりホルダー。
【発明の効果】
【０００６】  この発明は、本体に貫通させた磁石により裏面は金属部につき、磁石の表面はカラータイを保持、フック部分には輪ゴムを保持することができる。
【図面の簡単な説明】
【０００７】
【図１】本発明の斜視図
【図２】本発明の左側図
【図３】本発明の本体断面図
【図４】本発明の全断面図
【図５】本発明の使用状態を示す斜視図
【図６】本発明のその他の実施例を示す正面図
【発明を実施するための形態】
【０００８】（イ）本体（２）の一部分に磁石の貫通できる貫通穴（９）を設ける。
ここで示した一部分とは図６に示した通り、本体（２）の形状により、磁石（３）の位置を配置するものも含まれる。
（ロ）本体（２）の厚さより、厚い磁石（３）を貫通穴（９）に配し、磁石裏面（５）磁石表面（４）が本体（２）より、どちらも突起させた位置で固定させる。
（ハ）本体（２）に、フック部を設ける。
本発明は以上のような構造である。
本発明を使用するときは、金属部（１０）に磁石裏面を（５）つけ、本体（１）から出ている磁石表面（４）にカラータイ（７）保持させ、フック（６）に輪ゴム（８）を保持させる。
【符号の説明】
【０００９】１ホルダー、２本体、３磁石、４磁石表面、５磁石裏面、６フック、７カラータイ、８輪ゴム、９貫通穴、１０金属部
【図１】
2015073879.tif 000003
【図２】
2015073879.tif 000004
【図３】
2015073879.tif 000005
【図４】
2015073879.tif 000006
【図５】
2015073879.tif 000007
【図６】
2015073879.tif 000008
(57)【要約】【課題】二つ折り財布にはストラップを取り付けられるものが少なく、置忘れや紛失をすることが多かった。本発明は、二つ折り財布に加工を必要とせず、着脱自在な構造による二つ折り財布用簡易ストラップを提供する。【解決手段】薄く折り曲げやすい材質で形成された紙幣大のシート中央下部に紐を設け、紐の先端にリングを設けたことを特徴とする二つ折り財布用簡易ストラップ。【選択図】図１
2015073877.tif 000002
【特許請求の範囲】
【請求項１】
薄く折り曲げやすい材質で形成された紙幣大のシート中央下部に紐を設け、紐の先端にリングを設けた、二つ折り財布用簡易ストラップ。
【発明の詳細な説明】
【技術分野】
【０００１】  本発明は二つ折り財布で使用する簡易ストラップに関するものである。
【背景技術】
【０００２】  従来、二つ折り財布にはストラップを取り付けられるものが少なく、置き忘れや紛失をすることが多かった。
【先行技術文献】
【特許文献】
【０００３】
【特許文献１】登録実用新案第３１２８０９４号
【特許文献２】登録実用新案第３１２４３３２号
【発明の概要】
【発明が解決しようとする課題】
【０００４】  二つ折り財布にはストラップを取り付けられるものが少なく、置忘れや紛失をすることが多かった。本発明は、以上の問題点を解決するものである。
【課題を解決するための手段】
【０００５】  薄く折り曲げやすい材質で形成された紙幣大のシート中央下部に先端をリング状にさせた紐を設ける。
以上の構成によりなる二つ折り財布用簡易ストラップ。
【発明の効果】
【０００６】  従来置き忘れや紛失することが多かった二つ折り財布に、本発明により市販のチェーン等を使用して、ベルト穴や鞄の持ち手や携帯電話などに繋ぐことを可能にし、置き忘れや紛失を防ぐことが出来る。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）シート（１）の中央下部に紐（２）を設ける。
（ロ）紐（２）の先端にリング（３）を設ける。
本発明は以上のような構造である。
本発明を使用するときは、二つ折り財布の紙幣収納部に、紐（２）を下向きにしてシート（１）を差込み、紐（２）を二つ折り財布紙幣収納部下の穴へ通し、二つ折り財布の外へ出す。紐（２）の先端のリング（３）にチェーン等でベルト通し穴や鞄の持ち手へつなぎ二つ折り財布の置忘れや紛失を防ぐ。
【符号の説明】
【０００９】  １シート、２紐、３リング
【図１】
2015073877.tif 000003
【図２】
2015073877.tif 000004
(57)【要約】      （修正有）【課題】布団を布団カバーに入れ、固定することが困難であることを解消する。【解決手段】布団を布団カバーに固定するときに、布団カバーの四隅が縫製されていると布団を布団カバーの中に入れた時、奥になる部分を結ぶ（固定する）ことが困難であるので、布団カバーの両サイド４を縫い合わせない（開放する）ことにより布団を入れやすくすると共に、四隅に設けた紐２に布団を容易に結んで固定した後、開放された両サイド４をボタン３またはホック３で止めることにより布団を固定する。【選択図】図１
2015061612.tif 000002
【特許請求の範囲】
【請求項１】
布団カバーの両サイド又は紐２周辺を縫い合わせないで、開放する。
【発明の詳細な説明】
【技術分野】
【０００１】本発明は、布団カバーの製造工程を簡略にし、かつ布団カバーの交換を容易にすることができるようにしたものである。
【背景技術】
【０００２】従来は、四隅が縫製されており両横サイドが縫製されていないものがなかった。
【発明の概要】
【発明が解決しようとする課題】
【０００３】布団カバーは、四隅が縫製されており布団カバーの交換が困難である難点があった。また、縫製工程が複雑でもあった。本発明は、この課題を解消するためになされたものである。
【課題を解決する手段】
【０００４】布団カバーの両サイドを開放することにより、製造工程を簡略にし、布団を布団カバーに入れやすくし、布団と布団カバーを結び付けることを容易にできるようにしたものである。
【発明の効果】
【０００５】布団カバーの両サイドを縫製しない（開放する）ことにより、布団を布団カバーに入れやすくなり、かつ布団と布団カバーを結びやすくなり、製造工程が簡略されることにより製造コストを低く抑えることができる。
【図面の簡単な説明】
【０００６】
【図１】本発明の正面図である。
【図２】側面図である。
【発明を実施するための形態】
【０００７】以下本発明の実施の形態について説明する。
（イ）開放された両サイド４のどちらかから布団を入れ、四隅にある紐２を布団に結び布団を固定し、ボタン又はホック３を止めて布団カバーを布団に取り付ける。
【符号の説明】
【０００８】１、縫製部分
２、布団を結び付ける紐
３、ボタン又はホック
４、開放部分
【図１】
2015061612.tif 000003
【図２】
2015061612.tif 000004